(57)【要約】【課題】  簡単な構造で衝突音を低減させたシーソスイッチ装置を提供すること目的とする。【解決手段】  操作レバー４を傾倒させると、その押圧力がプッシュロッド６ａ，６ｂを介して、スイッチ５ａ，５ｂを押圧するシーソスイッチ装置１において、前記プッシュロッド６ａ，６ｂを常時操作レバー４側に付勢するように配設された、板状または棒状のばね部材７を備えて構成したことを特徴とする。また、前記一対のプッシュロッド６ａ，６ｂと前記ばね部材７とは、一体に成形することもできる。【選択図】      図１
2005310413.tif 000002
【特許請求の範囲】
【請求項１】
スイッチハウジングと、
前記スイッチハウジングに揺動可能に軸支された操作レバーと、
前記操作レバーの両側部に対応してスイッチハウジングに配設された一対のスイッチと、
前記各スイッチと前記操作レバーの両側部との間に介設され、前記スイッチハウジングに昇降可能に支持された一対のプッシュロッドと、
前記プッシュロッドを常時操作レバー側に付勢するように配設された、両端部が前記プッシュロッドに係止され、その中間部の少なくとも一部が前記スイッチハウジングに係止された板状または棒状のばね部材とを備えて構成されたことを特徴とするシーソスイッチ装置。
【請求項２】
前記一対のプッシュロッドと前記ばね部材とは、一体に成形されたことを特徴とする請求項１に記載のシーソスイッチ装置。
【発明の詳細な説明】
【技術分野】
【０００１】
本発明は、操作レバーを傾倒させることにより、一対のスイッチをスイッチング操作するシーソスイッチ装置に関する。
【背景技術】
【０００２】
シーソスイッチ装置は、操作レバーを傾倒させることにより、一対のスイッチをスイッチング操作するものである。そのシーソスイッチ装置は、操作レバーと、スイッチと、操作レバーに加わる押圧力をスイッチに伝達する機能を有する押し棒（以下「プッシュロッド」という。）とから構成されている（特許文献１参照）。
しかし、特許文献１に開示されたようなシーソスイッチ装置は、操作レバーを操作した際に、その操作レバーとプッシュロッドが衝突するため、衝突音が発生して商品性が害される。また、その衝突は、操作レバーやプッシュロッドの摩耗や破損の原因になることも知られている。
【０００３】
そこで、一対のプッシュロッドに、プッシュロッドを操作レバー側に付勢させるばねをそれぞれ設けて、プッシュロッドが操作レバーに常時当接することで、衝突音を低減させたシーソスイッチ装置が開発されている。また、操作レバーとプッシュロッドが衝突する面に、別途に、衝撃吸収部材を設けたシーソスイッチ装置も開発されている。
【特許文献１】実開平６−１７０６８号公報（段落００１３、図１）
【発明の開示】
【発明が解決しようとする課題】
【０００４】
しかし、上記の手段では、プッシュロッドごとにばねや衝撃吸収部材を配設するために、部品点数や組立工数が多くなり、製造コストが高くなるという問題がある。さらに、シーソスイッチ装置の内部に複数のばねや衝撃吸収部材を配設する場合には、シーソスイッチ装置の小型化が図れないという問題もある。
【０００５】
そこで、本発明では、簡単な構造で衝突音を低減させたシーソスイッチ装置を提供することを目的とする。
【課題を解決するための手段】
【０００６】
前記課題を解決するため、請求項１に係る発明では、シーソスイッチ装置が、スイッチハウジングと、このスイッチハウジングに揺動可能に軸支された操作レバーと、この操作レバーの両側部に対応してスイッチハウジングに配設された一対のスイッチと、この各スイッチと前記操作レバーの両側部との間に介設され、前記スイッチハウジングに昇降可能に支持された一対のプッシュロッドと、このプッシュロッドを常時操作レバー側に付勢するように配設された、両端部が前記プッシュロッドに係止され、その中間部の少なくとも一部が前記スイッチハウジングに係止された板状または棒状のばね部材とを備えて構成されたものである。
【０００７】
また、請求項２に係る発明のように、前記一対のプッシュロッドと前記ばね部材とを一体に成形させることもできる。
【発明の効果】
【０００８】
請求項１に係る発明によれば、簡単な構造で衝突音を低減できる。簡単な構造のため、部品点数や組立工数が削減でき、製造コストを安くできる。さらに、シーソスイッチ装置の内部のばねを少なくできるため、シーソスイッチ装置の小型化も可能になる。
【０００９】
また、請求項２に係る発明によれば、プッシュロッドとばねとが一体に成形されるため、請求項１に係る発明に比べて、組立工数をさらに削減でき、製造コストをさらに安くできる。
【発明を実施するための最良の形態】
【００１０】
次に、本発明の実施形態について、図面を参照しながら説明する。図１は、実施形態に係るシーソスイッチ装置の断面斜視図であり、（ａ）は同シーソスイッチ装置の分解状態の断面斜視図、（ｂ）は同シーソスイッチ装置の組立状態の断面斜視図である。図２は、実施形態に係るシーソスイッチ装置の動作説明図であり、（ａ）は操作レバーの中立状態、（ｂ）は操作レバーを矢印Ａ方向に傾倒した状態、（ｃ）は操作レバーを矢印Ａ方向に傾倒した状態から中立状態に戻る過程の状態を示す。
【００１１】
図１の（ａ）に示すように、シーソスイッチ装置１は、スイッチハウジング２と、操作レバー４と、一対のスイッチ５ａ，５ｂと、一対のプッシュロッド６ａ，６ｂと、ばね部材７とから構成されている。
【００１２】
前記スイッチハウジング２は、操作レバー４と、一対のスイッチ５ａ，５ｂと、一対のプッシュロッド６ａ，６ｂと、ばね部材７とを収容している。前記スイッチハウジング２の上面部は、操作レバー４を収容するために開口しており、その開口した両側面には、操作レバー４を軸支するための支軸孔２ｃ，２ｃを穿設している。前記スイッチハウジング２の開口部の底部は、一対のスイッチ５ａ，５ｂを収容するスイッチ収容部２ｄ，２ｄを区切る仕切り板２ａで構成されている。前記仕切り板２ａの両側部には、一対のプッシュロッド６ａ，６ｂが挿通される貫通孔２ｂ，２ｂが形成されている。この貫通孔２ｂ，２ｂは、プッシュロッド６ａ，６ｂを昇降可能に支持している。
【００１３】
前記操作レバー４は、長方形の板状のものであって、長辺の両側面中央に突出した支軸３を有している。操作レバー４は、スイッチハウジング２の上面の開口部に、支軸３を前記支軸孔２ｃ，２ｃに挿入することで、支軸３を中心に揺動可能に軸支されている。操作レバー４は、その両側部の上面が操作面４Ａ，４Ｂとなっており、その各操作面４Ａ，４Ｂの下部には、それぞれプッシュロッド６ａ，６ｂを押圧する押圧突起４ａ，４ｂが形成されている。
【００１４】
前記一対のスイッチ５ａ，５ｂは、オン・オフスイッチ機能を有するタクトスイッチであり、前記押圧突起４ａ，４ｂに対応して、前記スイッチハウジング２のスイッチ収容部２ｄ，２ｄに設置されている。各スイッチ５ａ，５ｂは、その押圧面５ｃが押圧されると、図示しないスイッチ内部の固定接点と可動接点が閉路されてオン状態になる。また、前記スイッチ５ａ，５ｂの押圧面５ｃは、常時上方に戻るように構成され、その押圧面５ｃに加わる押圧力がなくなると、前記固定接点と可動接点が開路されてオフ状態になる。
【００１５】
前記一対のプッシュロッド６ａ，６ｂは、その両端が前記操作レバー４の押圧突起４ａ，４ｂと前記スイッチ５ａ，５ｂに当接する状態で、前記スイッチハウジング２の仕切り板２ａに形成された貫通孔２ｂ，２ｂに、昇降可能に支持されている。前記プッシュロッド６ａ，６ｂは、操作レバー４の操作面４Ａ，４Ｂに加わる押圧力を、前記スイッチ５ａ，５ｂに伝達する機能を有する。前記プッシュロッド６ａ，６ｂは、円柱形の部材であり、衝突音を低減させるために、例えばアセタール樹脂で成形されている。
【００１６】
前記ばね部材７は、前記一対のプッシュロッド６ａ，６ｂを常時操作レバー４側に付勢するように配設された板状のばねであり、図１および図２に示すように、前記一対のプッシュロッド６ａ，６ｂと一体に成形されている。このばね部材７は、前記プッシュロッド６ａ，６ｂの頭部から延設され、その両端部７ａ，７ａの内側にある２つの支点７ｂ，７ｂで、前記スイッチハウジング２の仕切り板２ａの上面に係止されている。
【００１７】
以上のように構成されたシーソスイッチ装置１において、操作レバー４は、一対のプッシュロッド６ａ，６ｂを常時操作レバー４側に付勢するばね部材７の弾発力を受け、図２の（ａ）に示す中立状態に保たれる。この場合、両スイッチ５ａ，５ｂはオフ状態である。
【００１８】
図２の（ａ）に示す操作レバー４の中立状態から、操作レバー４の操作面４Ａを押すと、操作レバー４は矢印Ａ方向に傾倒する。これにより生じた押圧力は、操作レバー４の押圧突起４ａからプッシュロッド６ａに伝達される。そして、図２の（ｂ）に示すように、プッシュロッド６ａがスイッチ５ａを押圧して、スイッチ５ａがオン状態になる。
【００１９】
図２の（ｂ）に示すスイッチ５ａがオン状態において、操作レバー４の操作面４Ａを押すのを止めると、操作レバー４は、プッシュロッド６ａを介したスイッチ５ａの反発力を受けて、図２の（ａ）に示す中立状態に戻る。
このとき、図２の（ｃ）に示すように、前記ばね部材７がプッシュロッド６ｂを操作レバー４側に付勢しているため、プッシュロッド６ｂは操作レバー４の押圧突起４ｂに当接したまま一体的に動き、衝突音は発生しない。
【００２０】
次に、ばね部材７の変形例について説明する。図３は、ばね部材をプッシュロッドに係止する場合の実施形態の斜視図であり、（ａ）はばね部材をプッシュロッドの頭部に形成した凹部に挿入してプッシュロッドに係止する実施形態の斜視図、（ｂ）はばね部材の両端部に形成したリング部でプッシュロッドに係止する実施形態の斜視図である。
【００２１】
図３の（ａ）に示すように、ばね部材７を前記一対のプッシュロッド６ａ，６ｂと一体に成形せずに、別体に成形することもできる。この場合、各プッシュロッド６ａ，６ｂの頭部に凹部６ｃを形成して、ばね部材７の両端部７ａ，７ａをその凹部６ｃ，６ｃに掛止させるとよい。また、図３の（ｂ）に示すように、ばね部材７の両端部にリング部７ｃ，７ｃを形成し、それぞれのリング部７ｃ，７ｃに各プッシュロッド６ａ，６ｂを挿入してもよい。なお、係る場合には、ばね部材７のリング部７ｃ，７ｃは、プッシュロッド６ａ，６ｂの頭部にある鍔部６ｄで係止される。さらに、これら以外にも、溶着などでプッシュロッド６ａ，６ｂとばね部材７を、あとから一体にしてもよい。
【００２２】
図４は、ばね部材をスイッチハウジングに係止する他の実施形態の断面図であり、（ａ）はばね部材の中間部の１点で係止する実施形態の断面図、（ｂ）はばね部材の中間部で広く線状態で係止する実施形態の断面図である。
図１および図２に示す形態では、ばね部材７がその両端部７ａ、７ａの内側にある２つの支点７ｂ,７ｂで、スイッチハウジング２の仕切り板２ａの上面に係止されている。ばね部材７の係止の形態は、前記形態以外にも、図４の（ａ）に示すように、スイッチハウジング２の仕切り板２ａの上面に、ばね部材７の１つの支点７ｂで係止させることもできる。また、図４の（ｂ）に示すように、ばね部材７の１または２つの支点ではなく、ばね部材７の両支点７ｂ，７ｂ間で線状態に広く係止させることもできる。
【００２３】
以上、本発明の実施形態について説明したが、本発明は前記実施形態には限定されない。例えば、本実施形態では、ばね部材７を板状としたが、ばね部材は板状に限られるものではなく、棒状など弾性機能を有するものを適用することができる。また、ばね部材７の素材は、アセタール樹脂に限定されるものではなく、金属または非金属のものでもかまわない。ばね部材７が係止される場所も、スイッチハウジング２の仕切り板２ａの上面に限定されるものではなく、スイッチハウジング２に形成された突起など、ばね部材７が各プッシュロッド６ａ，６ｂを常時操作レバー４側に付勢するように係止できればよい。スイッチ５ａ，５ｂは、タクトスイッチに限定されるものではなく、ラバー接点などオン・オフスイッチ機能を有するものを適用することができる。さらに、プッシュロッド６ａ，６ｂについても円柱形の部材としたが、円柱形に限られるものではなく、角柱形など力を伝達する機能を有するものであれば特に限定されない。
【図面の簡単な説明】
【００２４】
【図１】（ａ）は実施形態に係るシーソスイッチ装置の分解状態の断面斜視図であり、（ｂ）は実施形態に係るシーソスイッチ装置の組立状態の断面斜視図である。
【図２】（ａ）は、実施形態に係るシーソスイッチ装置の動作説明図のうち、操作レバーの中立状態図であり、（ｂ）は、実施形態に係るシーソスイッチ装置の動作説明図のうち、操作レバーを矢印Ａ方向に傾倒した状態図であり、（ｃ）は、実施形態に係るシーソスイッチ装置の動作説明図のうち、操作レバーを矢印Ａ方向に傾倒した状態から中立状態に戻る過程の状態図である。
【図３】（ａ）はばね部材をプッシュロッドの頭部に形成した凹部に挿入してプッシュロッドに係止する実施形態の斜視図であり、（ｂ）はばね部材の両端部に形成したリング部でプッシュロッドに係止する実施形態の斜視図である。
【図４】（ａ）はばね部材の中間部の１点でスイッチハウジングに係止する実施形態の断面図であり、（ｂ）はばね部材の中間部で広く線状態でスイッチハウジングに係止する実施形態の断面図である。
【符号の説明】
【００２５】
１      シーソスイッチ装置
２      スイッチハウジング
３      支軸
４      操作レバー
５ａ，５ｂ  スイッチ
６ａ，６ｂ  プッシュロッド
７      ばね部材
７ａ    端部
７ｂ    支点
【図１】
2005310413.tif 000003
【図２】
2005310413.tif 000004
【図３】
2005310413.tif 000005
【図４】
2005310413.tif 000006